(57)【要約】【課題】偏光状態変化の監視方法、装置、及び受信機を提供する。【解決手段】偏光状態変化の監視方法は、受信機の等化フィルタタップ係数の行列を抽出するステップと、該等化フィルタタップ係数の行列の各径路の等化フィルタタップ係数に対してＮ個のタップのＦＦＴ演算を行い、変換後の行列を取得するステップであって、該変換後の行列の各径路の等化フィルタタップ係数の和は非ゼロ周波数の値である、ステップと、該変換後の行列の少なくとも１つの経路の等化フィルタタップ係数を用いて偏光状態の変化量を推定するステップと、を含む。これによって、タップ係数の和が周波数領域でゼロ周波数から高周波数（非ゼロ周波数）にシフトされるため、偏光状態変化の監視結果への送信機の非理想的な状況の影響が回避された。【選択図】図２
2020150540.tif 000002
【特許請求の範囲】
【請求項１】
偏光状態変化の監視装置であって、
受信機の等化フィルタタップ係数の行列を抽出する抽出手段と、
前記等化フィルタタップ係数の行列の各径路の等化フィルタタップ係数に対してＮ個のタップのＦＦＴ演算を行い、変換後の行列を取得するＦＦＴ手段であって、前記変換後の行列の各径路の等化フィルタタップ係数の和は非ゼロ周波数の値である、ＦＦＴ手段と、
前記変換後の行列の少なくとも１つの経路の等化フィルタタップ係数を用いて偏光状態の変化量を推定する推定手段と、を含む、装置。
【請求項２】
前記変換後の行列の各径路の等化フィルタタップ係数の和は、ゼロ周波数に最も近い周波数点の値である、請求項１に記載の装置。
【請求項３】
前記変換後の行列の各径路の等化フィルタタップ係数の和の周波数は、信号帯域幅範囲内にある、請求項１に記載の装置。
【請求項４】
ＦＦＴ演算を行うタップの数Ｎは、２の整数乗冪である、請求項１に記載の装置。
【請求項５】
Ｎは８である、請求項４に記載の装置。
【請求項６】
前記推定手段は、
前記変換後の行列の少なくとも１つの偏光状態の等化フィルタタップ係数をジョーンズ行列からストークスベクトルの表現に変換する変換手段と、
時間間隔Ｔでの前記等化フィルタタップ係数のストークスベクトルの変化量を計算する第１計算手段と、
前記ストークスベクトルの変化量に基づいて、時間間隔Ｔでの偏光状態の変化量を計算する第２計算手段と、を含む、請求項１に記載の装置。
【請求項７】
前記少なくとも１つの偏光状態は、Ｈ偏光状態、又はＶ偏光状態、又はＨ偏光状態及びＶ偏光状態である、請求項６に記載の装置。
【請求項８】
前記推定手段は、
時間間隔Ｔでの前記変換後の行列の変化量を計算する第３計算手段と、
前記変化量に対して正規化処理を行い、正規化処理後の変化量を取得する正規化手段と、
前記正規化処理後の変化量のうちの少なくとも１つの値を用いて、時間間隔Ｔでの偏光状態の変化量を計算する第４計算手段と、を含む、請求項１に記載の装置。
【請求項９】
前記第４計算手段は、前記正規化処理後の変化量のうちの１行目１列目の値を用いて、時間間隔Ｔでの偏光状態の変化量を計算する、請求項８に記載の装置。
【請求項１０】
偏光状態変化の監視方法であって、
受信機の等化フィルタタップ係数の行列を抽出するステップと、
前記等化フィルタタップ係数の行列の各径路の等化フィルタタップ係数に対してＮ個のタップのＦＦＴ演算を行い、変換後の行列を取得するステップであって、前記変換後の行列の各径路の等化フィルタタップ係数の和は非ゼロ周波数の値である、ステップと、
前記変換後の行列の少なくとも１つの経路の等化フィルタタップ係数を用いて偏光状態の変化量を推定するステップと、を含む、方法。
【発明の詳細な説明】
【技術分野】
【０００１】
本発明は、光通信の分野に関し、特に偏光状態変化の監視方法、装置、及び受信機に関する。
【背景技術】
【０００２】
動的光ネットワークは、高感度、動的に制御可能なルーティング、柔軟に可変な容量などの利点を有するため、通信伝送ネットワークで重要な位置を占めている。光性能の検出は、動的光ネットワークに不可欠な技術であり、光通信システムをリアルタイムで監視、制御して最適な状態で動作させるために、様々な光通信システムパラメータの変化を効果的に監視することができる。
【０００３】
光の偏光状態の変化を監視することにより、ファイバの曲げ、ジッタ、ヒットなどのリスクイベントを効果的に発見、区別することができる。
【０００４】
なお、上述した背景技術の説明は、本発明の技術案を明確、完全に理解させるための説明であり、当業者を理解させるために記述されているものである。これらの技術案は、単なる本発明の背景技術部分として説明されたものであり、当業者により周知されたものではない。
【発明の概要】
【発明が解決しようとする課題】
【０００５】
偏光状態の監視では、現在、関連する解決策があり、例えば２×２  ＣＭＡ（Ｃｏｎｓｔａｎｔ  Ｍｏｄｕｌｕｓ  Ａｌｇｏｒｉｔｈｍ：コンスタントモジュラスアルゴリズム）フィルタの等化係数に基づいて偏光状態の回転速度を計算する。しかし、本発明の発明者の発見によると、このような方法は、周波数領域における０Ｈｚでの等化フィルタ係数を用いるため、送信機の直流、位相の不均衡、振幅の不均衡などの送信機の非理想的な状況の影響を受けることにより、監視された偏光状態の変化量に誤差が存在する。
【０００６】
上記の問題又は他の同様な問題を解決するために、本発明の実施例は、偏光状態変化の監視方法、装置、及び受信機を提供する。
【課題を解決するための手段】
【０００７】
本発明の実施例の第１態様では、偏光状態変化の監視方法であって、受信機の等化フィルタタップ係数の行列を抽出するステップと、前記等化フィルタタップ係数の行列の各径路の等化フィルタタップ係数に対してＮ個のタップのＦＦＴ演算を行い、変換後の行列を取得するステップであって、前記変換後の行列の各径路の等化フィルタタップ係数の和は非ゼロ周波数の値である、ステップと、前記変換後の行列の少なくとも１つの経路の等化フィルタタップ係数を用いて偏光状態の変化量を推定するステップと、を含む、方法を提供する。
【０００８】
本発明の実施例の第２態様では、偏光状態変化の監視装置であって、受信機の等化フィルタタップ係数の行列を抽出する抽出手段と、前記等化フィルタタップ係数の行列の各径路の等化フィルタタップ係数に対してＮ個のタップのＦＦＴ演算を行い、変換後の行列を取得するＦＦＴ手段であって、前記変換後の行列の各径路の等化フィルタタップ係数の和は非ゼロ周波数の値である、ＦＦＴ手段と、前記変換後の行列の少なくとも１つの経路の等化フィルタタップ係数を用いて偏光状態の変化量を推定する推定手段と、を含む、装置を提供する。
【０００９】
本発明の実施例の第３態様では、本発明の実施例の第２態様に記載の装置を含む受信機を提供する。
【００１０】
本発明の実施例の第４態様では、コンピュータ読み取り可能なプログラムであって、受信機において前記プログラムが実行される際に、前記受信機に上記の第１態様に記載の方法を実行させる、プログラムを提供する。
【００１１】
本発明の実施例の第５態様では、コンピュータ読み取り可能なプログラムが記憶されている記憶媒体であって、前記コンピュータ読み取り可能なプログラムが受信機に上記の第２態様に記載の方法を実行させる、記憶媒体を提供する。
【００１２】
本発明の有利な効果は以下の通りである。各径路の等化フィルタタップ係数に対してＮ個のタップの高速フーリエ変換（ＦＦＴ：Ｆａｓｔ  Ｆｏｕｒｉｅｒ  Ｔｒａｎｓｆｏｒｍ）演算を行い、タップ係数の和を周波数領域でゼロ周波数から高周波数（非ゼロ周波数）にシフトすることで、偏光状態変化の監視結果への送信機の非理想的な状況の影響を回避することができる。
【００１３】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び均等的なものが含まれる。
【００１４】
ある一つの実施形態に説明及び又は示されている特徴は、同一又は類似の方式で一つ又は多くの他の実施形態に使用されてもよく、他の実施形態における特徴と組み合わせてもよく、他の実施形態における特徴を代替してもよい。
【００１５】
なお、用語「含む／有する」は、本文に使用される際に、特徴、要素、ステップ又は構成要件の存在を意味し、一つ又は複数の他の特徴、要素、ステップ又は構成要件の存在又は追加を排除するものではない。
【図面の簡単な説明】
【００１６】
本発明の実施例の図面又は実施形態に説明されている要素及び特徴は、１つ又は複数の他の図面又は実施形態に示す要素及び特徴と組み合わせてもよい。図面において、類似する符号は複数の図面における対応する構成部を表し、複数の態様に用いられる対応構成部を表してもよい。
【００１７】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】典型的な偏光多重化デジタルコヒーレント受信機の概略図である。
【図２】実施例１の偏光状態変化の監視方法の概略図である。
【図３】偏光状態変化量の推定プロセスの１つの概略図である。
【図４】偏光状態変化量の推定プロセスのもう１つの概略図である。
【図５】偏光状態変化量の推定プロセスのさらにもう１つの概略図である。
【図６】実施例２の偏光状態変化の監視装置の概略図である。
【図７】偏光状態変化の監視装置の推定部の１つの概略図である。
【図８】偏光状態変化の監視装置の推定部のもう１つの概略図である。
【図９】実施例３の受信機の１つの概略図である。
【発明を実施するための形態】
【００１８】
本発明の上記及びその他の特徴は、図面及び下記の説明により明確になる。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変更されたもの、及び均等なものを含む。
【００１９】
本発明の実施例では、用語「第１」、「第２」は異なる要素を名称で区分するためのものであり、これらの要素の空間的配列又は時間的順序などを意味するものではなく、これらの要素はこれらの用語に限定されない。用語「及び／又は」は列挙された用語の１つ又は複数のうち何れか及びその組み合わせを含む。用語「包括」、「含む」、「有する」は説明された特徴、要素、素子又は部材の存在を意味するが、他の１つ又は複数の特徴、要素、素子又は部材の存在又は追加を排除するものではない。
【００２０】
本発明の実施例では、単数形の「一」、「該」等は複数形を含み、「一種」又は「一類」を意味し、「１つ」に限定するものではない。また、用語「前記」は、文脈上明確に指示されない限り、単数形及び複数形両方を含む。また、文脈上明確に指示されない限り、用語「応じて」は「少なくとも部分的に応じて」を意味し、用語「に基づいて」は「少なくとも部分的に基づいて」を意味する。
【００２１】
図１は典型的な偏光多重化デジタルコヒーレント受信機の概略図である。図１に示すように、ｗｈｈ、ｗｖｈ、ｗｈｖ、ｗｖｖは、４つの経路の線形等化フィルタ１００のタップ係数である。本実施例では、バタフライ構造を有する有限インパルス応答（ＦＩＲ：Ｆｉｎｉｔｅ  Ｉｍｐｕｌｓｅ  Ｒｅｓｐｏｎｓｅ）線形フィルタを等化フィルタ１００として用いてもよい。本実施例は具体的な等化アルゴリズムに限定されず、例えばコンスタントモジュラスアルゴリズム（ＣＭＡ：Ｃｏｎｓｔａｎｔ  Ｍｏｄｕｌｕｓ  Ａｌｇｏｒｉｔｈｍ）、最小二乗誤差推定、最小平均二乗誤差（ＭＭＳＥ：Ｍｉｎｉｍｕｍ  Ｍｅａｎ  Ｓｑｕａｒｅ  Ｅｒｒｏｒ）推定、最良線形不偏推定（ＢＬＵＥ：Ｂｅｓｔ  Ｌｉｎｅａｒ  Ｕｎｂｉａｓｅｄ  Ｅｓｔｉｍａｔｉｏｎ）、又は他の等化アルゴリズムを用いてもよい。
【００２２】
本実施例では、図１に示すように、該等化フィルタ１００の構造は、２×２の多入力多出力（ＭＩＭＯ：Ｍｕｌｔｉｐｌｅ  Ｉｎｐｕｔ  Ｍｕｌｔｉｐｌｅ  Ｏｕｔｐｕｔ）構造、即ち、
（外１）
2020150540.tif 000003
であるが、本実施例は等化フィルタの構造に限定されず、２×４のＭＩＭＯ構造
（外２）
2020150540.tif 000004
又は４×４のＭＩＭＯ構造
（外３）
2020150540.tif 000005
を用いてもよく、それを２×２のＭＩＭＯ構造
（外４）
2020150540.tif 000006
に変換すればよい。
【００２３】
以下は、図面を参照しながら本発明の実施例の各態様を説明する。
【００２４】
＜実施例１＞
本実施例は、偏光状態変化の監視方法を提供する。
【００２５】
図２は本実施例の偏光状態変化の監視方法の概略図であり、図２に示すように、該方法は以下のステップを含む。
【００２６】
ステップ２０１：受信機の等化フィルタタップ係数の行列を抽出する。
【００２７】
ステップ２０２：該等化フィルタタップ係数の行列の各径路の等化フィルタタップ係数に対してＮ個のタップのＦＦＴ演算を行い、変換後の行列を取得する。ここで、該変換後の行列の各径路の等化フィルタタップ係数の和は非ゼロ周波数の値である。
【００２８】
ステップ２０３：該変換後の行列の少なくとも１つの経路の等化フィルタタップ係数を用いて偏光状態の変化量を推定する。
【００２９】
受信機では、図１に示すように、等化フィルタタップ係数の時間領域でのジョーンズ行列は
（外５）
2020150540.tif 000007
である。従来技術では、各径路のタップ係数は時間領域で加算され、例えばタップ数Ｍ＝１７の場合、加算後の結果は
【数１】
2020150540.tif 000008
である。
【００３０】
このような方法のタップ係数の和が周波数領域で０Ｈｚ（ゼロ周波数）に位置し、送信機の非理想的な状況も０ＧＨｚに発生するため、偏光状態変化の推定値は受信機の非理想的な状況の影響を受ける。
【００３１】
本実施例では、各径路の等化フィルタタップ係数に対してＮ個のタップのＦＦＴ演算を行い、タップ係数の和を周波数領域でゼロ周波数から高周波数（非ゼロ周波数）にシフトすることで、偏光状態変化の監視結果への送信機の非理想的な状況の影響を回避することができる。
【００３２】
例えば、サンプリングレートが８４Ｇサンプル／秒、Ｎ＝８、周波数間隔が８４ｅ９／８＝１０．５ＧＨｚであると仮定すると、タップ係数の和は０Ｈｚから１０．５ＧＨｚにシフトし、０Ｈｚでの送信機の非理想的な状況の偏光状態変化の推定量への影響を回避した。
【００３３】
本実施例のステップ２０１では、上記の受信機の等化フィルタタップ係数の行列は、時間領域におけるジョーンズ行列であり、例えば
（外６）
2020150540.tif 000009
であり、本実施例は該行列の取得方法に限定されない。
【００３４】
本実施例のステップ２０２では、等化フィルタのタップ数がＭであると仮定すると、ステップ２０１において取得された該等化フィルタタップ係数の行列の各径路の等化フィルタタップ係数に対してＮ個のタップのＦＦＴ演算を行い、変換後の行列を取得する。
【数２】
2020150540.tif 000010
【００３５】
本実施例では、該変換後の行列の各径路の等化フィルタタップ係数の和（時間領域での加算結果）は、非ゼロ周波数の値である（周波数領域では０Ｈｚではない）。これによって、０Ｈｚでの送信機の非理想的な状況の偏光状態変化の推定量への影響を回避することができる。
【００３６】
例えば、等化フィルタのタップ数Ｍ＝１７となり、ＦＦＴ演算を行うタップの数Ｎ＝８であると仮定すると、加算後の結果（即ち変換後の行列）は以下のようになる。
【数３】
2020150540.tif 000011
【００３７】
本実施例では、上記の変換後の行列の各径路の等化フィルタタップ係数の和は、ゼロ周波数に最も近い周波数点の値、例えば０Ｈｚ近傍の左側又は右側の値であってもよいが、本実施例はこれに限定されず、上記の変換後の行列の各径路の等化フィルタタップ係数の和は、ゼロ周波数に最も近い２つの周波数点の値であってもよい。また、偏光状態変化の監視の信号対雑音比を向上させるために、上記の変換後の行列の各径路の等化フィルタタップ係数の和の周波数は、信号帯域幅範囲内にある必要がある。
【００３８】
本実施例では、ＦＦＴ演算を行うタップの数（ＦＦＴタップ数とも称される）Ｎは、２の整数乗冪であってもよい。これによって、高速計算を実現し、複雑さを低減することができる。例えば、該ＦＦＴタップ数Ｎは８であってもよい。これによって、ｉの値に関わらず、
（外７）
2020150540.tif 000012
は常に
（外８）
2020150540.tif 000013
のうちの１つであるため、
（外９）
2020150540.tif 000014
と他の数との乗算演算は常に論理演算及び加算／減算で実現することができるため、計算の複雑さを大幅に低減することができる。
【００３９】
本実施例のステップ２０３では、上記の変換後の行列の少なくとも１つの経路の等化フィルタタップ係数を用いて偏光状態の変化量を推定してもよい。
【００４０】
一例では、上記の変換後の行列の少なくとも１つの偏光状態の等化フィルタタップ係数をジョーンズ行列
（外１０）
2020150540.tif 000015
からストークスベクトル（Ｓ０、Ｓ１、Ｓ２及びＳ３）の表現に変換し、時間間隔（Ｔ）での前記等化フィルタタップ係数のストークスベクトルの変化量（ΔＳｉ）を計算し、該ストークスベクトルの変化量に基づいて、この時間間隔（Ｔ）での偏光状態の変化量（ΔＳＯＰ）を計算してもよい。
【００４１】
図３は、Ｈ偏光状態のストークスベクトルの変化量を用いて時間間隔Ｔの偏光状態の変化量を計算することの例を示し、図４は、Ｖ偏光状態のストークスベクトルの変化量を用いて時間間隔Ｔの偏光状態の変化量を計算することの例を示している。
【００４２】
この例では、Ｍ＝１７、Ｎ＝８と仮定すると、変換後の行列の４つの経路の等化フィルタタップ係数の和は、それぞれ以下のようになる。
【数４】
2020150540.tif 000016
【数５】
2020150540.tif 000017
【数６】
2020150540.tif 000018
【数７】
2020150540.tif 000019
【００４３】
この例では、そのうちのＨ偏光状態のタップ係数をジョーンズ行列からストークスベクトル表現に変換してもよく、図３に示すように、変換後のストークスベクトルは、それぞれ以下のように表される。
【数８】
2020150540.tif 000020
【数９】
2020150540.tif 000021
【数１０】
2020150540.tif 000022
【数１１】
2020150540.tif 000023
【００４４】
時間間隔ＴでのＨ偏光状態のタップ係数のストークスベクトル変換量（
（外１１）
2020150540.tif 000024
）を算出することにより、時間間隔Ｔでの偏光状態変化量（
（外１２）
2020150540.tif 000025
）を取得する。ここで、ｉ＝１，２，３となる。
【００４５】
或いは、この例では、そのうちのＶ偏光状態のタップ係数をジョーンズ行列からストークスベクトル表現に変換してもよく、図４に示すように、変換後のストークスベクトルは、それぞれ以下のように表される。
【数１２】
2020150540.tif 000026
【数１３】
2020150540.tif 000027
【数１４】
2020150540.tif 000028
【数１５】
2020150540.tif 000029
【００４６】
時間間隔ＴでのＶ偏光状態のタップ係数のストークスベクトル変換量（
（外１３）
2020150540.tif 000030
）を算出することにより、時間間隔Ｔでの偏光状態変化量（
（外１４）
2020150540.tif 000031
）を取得する。ここで、ｉ＝１，２，３となる。
【００４７】
この例では、Ｈ偏光状態又はＶ偏光状態のストークスベクトルのみを用いて偏光状態の変化量を計算することを一例にして説明しているが、本実施例はこれに限定されず、Ｈ偏光状態のストークスベクトル及びＶ偏光状態のストークスベクトルの両方を用いて偏光状態の変化量を計算してもよい。例えば、各偏光状態のストークスベクトルを用いて算出された偏光状態の変化量の平均値を計算して偏光状態の変化量の結果を取得してもよいが、本実施例はこれに限定されない。
【００４８】
もう１つの例では、時間間隔Ｔでの変換後の行列の変化量（ＤＷ）を計算し、該変化量（ＤＷ）に対して正規化処理を行い、正規化処理後の変化量（ＤＷ’）を取得し、該正規化処理後の変化量（ＤＷ’）のうちの少なくとも１つの値を用いて、この時間間隔Ｔでの偏光状態の変化量（ΔＳＯＰ）を計算してもよい。
【００４９】
図５は、正規化後の変化量（ＤＷ’）のうちの１つの値ＤＷ’１，１を用いてこの時間間隔Ｔでの偏光状態の変化量を計算することの例を示している。
【００５０】
この例では、同様にＭ＝１７、Ｎ＝８と仮定すると、変換後の行列の４つの経路の等化フィルタタップ係数の和は、それぞれ以下のようになる。
【数１６】
2020150540.tif 000032
【数１７】
2020150540.tif 000033
【数１８】
2020150540.tif 000034
【数１９】
2020150540.tif 000035
【００５１】
この例では、時間間隔Ｔでの変換後の行列Ｗの変化量ＤＷを計算してもよい。
【数２０】
2020150540.tif 000036
【数２１】
2020150540.tif 000037
【００５２】
次に、変化量ＤＷに対して正規化処理を行い、正規化処理後の変化量ＤＷ’を取得する。
【数２２】
2020150540.tif 000038
【００５３】
ここで、ＤＷ及びＤＷ’は何れも２行２列の行列である。ここで、ｄｅｔ（）は行列式を求めるための演算であり、例えばＷ＝
（外１５）
2020150540.tif 000039
、ｄｅｔ（Ｗ）＝
（外１６）
2020150540.tif 000040
となる。
【００５４】
これによって、ＤＷ’のうちの少なくとも１つの値、例えばＤＷ’のうちの１行目１列目の値ＤＷ’１，１を用いて、時間間隔Ｔでの偏光状態の変化量（
【数２３】
2020150540.tif 000041
）を計算してもよい。
【００５５】
この例では、正規化処理後の変化量（ＤＷ’）のうちの１行目１列目の値（ＤＷ’１，１）を用いて時間間隔Ｔでの偏光状態の変化量を計算してもよいが、本実施例はこれに限定されず、正規化処理後の変化量（ＤＷ’）のうちの他の１つ又は複数の値を用いて時間間隔Ｔでの偏光状態の変化量を計算してもよく、ここでその説明を省略する。
【００５６】
本実施例によれば、受信機の各径路の等化フィルタタップ係数に対してＮ個のタップのＦＦＴ演算を行い、タップ係数の和を周波数領域でゼロ周波数から高周波数（非ゼロ周波数）にシフトすることで、偏光状態変化の監視結果への送信機の非理想的な状況の影響を回避することができる。
【００５７】
＜実施例２＞
本実施例は偏光状態変化の監視装置を提供する。該装置の問題解決の原理は実施例１の方法と同様であるため、その具体的な実施は実施例１の方法の実施を参照してもよく、同様な内容について説明を省略する。
【００５８】
図６は本実施例の偏光状態変化の監視装置６００の概略図である。図６に示すように、偏光状態変化の監視装置６００は、抽出部６０１、ＦＦＴ部６０２及び推定部６０３を含む。抽出部６０１は、受信機の等化フィルタタップ係数の行列を抽出する。ＦＦＴ部６０２は、該等化フィルタタップ係数の行列の各径路の等化フィルタタップ係数に対してＮ個のタップのＦＦＴ演算を行い、変換後の行列を取得する。該変換後の行列の各径路の等化フィルタタップ係数の和は非ゼロ周波数の値である。推定部６０３は、該変換後の行列の少なくとも１つの経路の等化フィルタタップ係数を用いて偏光状態の変化量を推定する。
【００５９】
本実施例では、上記の変換後の行列の各径路の等化フィルタタップ係数の和は、ゼロ周波数に最も近い周波数点の値であり、該変換後の行列の各径路の等化フィルタタップ係数の和の周波数は、信号帯域幅範囲内にある。
【００６０】
本実施例では、ＦＦＴ演算を行うタップの数Ｎは、２の整数乗冪であってもよく、例えば８である。
【００６１】
図７は本実施例の偏光状態変化の監視装置６００の推定部６０３の１つの態様の概略図である。図７に示すように、この態様では、推定部６０３は、変換部７０１、第１計算部７０２及び第２計算部７０３を含んでもよい。
【００６２】
変換部７０１は、該変換後の行列の少なくとも１つの偏光状態の等化フィルタタップ係数をジョーンズ行列からストークスベクトルの表現に変換する。第１計算部７０２は、時間間隔Ｔでの該等化フィルタタップ係数のストークスベクトルの変化量を計算する。第２計算部７０３は、該ストークスベクトルの変化量に基づいて、時間間隔Ｔでの偏光状態の変化量を計算する。
【００６３】
この態様では、上記の少なくとも１つの偏光状態は、Ｈ偏光状態であってもよいし、Ｖ偏光状態であってもよいし、Ｈ偏光状態及びＶ偏光状態であってもよい。その具体的な態様は実施例１と同様であり、ここでその説明を省略する。
【００６４】
図８は本実施例の偏光状態変化の監視装置６００の推定部６０３のもう１つの態様の概略図である。図８に示すように、この態様では、推定部６０３は、第３計算部８０１、正規化部８０２及び第４計算部８０３を含んでもよい。
【００６５】
第３計算部８０１は、時間間隔Ｔでの該変換後の行列の変化量（ＤＷ）を計算する。正規化部８０２は、該変化量に対して正規化処理を行い、正規化処理後の変化量（ＤＷ’）を取得する。第４計算部８０３は、該正規化処理後の変化量（ＤＷ’）のうちの少なくとも１つの値を用いて、時間間隔Ｔでの偏光状態の変化量を計算する。
【００６６】
この態様では、第４計算部８０３は、正規化処理後の変化量（ＤＷ’）のうちの１行目１列目の値を用いて、時間間隔Ｔでの偏光状態の変化量を計算してもよい。具体的な態様は実施例１と同様であり、ここでその説明を省略する。
【００６７】
本実施例では、該偏光状態変化の監視装置６００はプロセッサ及びメモリにより実現されてもよい。
【００６８】
例えば、１つの態様では、該偏光状態変化の監視装置６００の機能はプロセッサに統合され、プロセッサにより該偏光状態変化の監視装置６００の機能を実現してもよい。なお、該偏光状態変化の監視装置６００の機能はここで援用し、その説明を省略する。
【００６９】
例えば、もう１つの態様では、該偏光状態変化の監視装置６００はプロセッサとそれぞれ配置されてもよく、例えば、該偏光状態変化の監視装置６００はプロセッサに接続されたチップであり、プロセッサの制御により該偏光状態変化の監視装置６００の機能を実現してもよい。
【００７０】
本実施例では、メモリは、例えばバッファ、フラッシュメモリ、ハードディスクドライブ、移動可能な媒体、揮発性メモリ、不揮発性メモリ、又は他の適切な装置のうちの１つ又は複数であってもよい。メモリは、各種のデータを記憶してもよく、情報処理のプログラムをさらに記憶してもよい。
【００７１】
本実施例では、プロセッサはコントローラ又は動作制御部材と称される場合があり、マイクロプロセッサ又は他のプロセッサ装置及び／又は論理装置を含んでもよい。該プロセッサは、入力を受け付け、受信機の各部の動作を制御する。また、プロセッサは、情報の記憶又は処理などを実現するように、メモリに記憶されたプログラムを実行してもよい。
【００７２】
本実施例によれば、受信機の各径路の等化フィルタタップ係数に対してＮ個のタップのＦＦＴ演算を行い、タップ係数の和を周波数領域でゼロ周波数から高周波数（非ゼロ周波数）にシフトすることで、偏光状態変化の監視結果への送信機の非理想的な状況の影響を回避することができる。
【００７３】
＜実施例３＞
本実施例は受信機をさらに提供し、図９は該受信機の構成の概略図である。図９に示すように、受信機９００は偏光状態変化の監視装置９０１を含む。該偏光状態変化の監視装置９０１は実施例２の偏光状態変化の監視装置６００の構成及び機能を有し、実施例１の偏光状態変化の監視方法の各ステップを実現するものであり、実施例１及び実施例２の内容はここで援用され、その説明を省略する。
【００７４】
本実施例では、図１に示すように、該受信機は他のモジュールをさらに含んでもよく、その構成及び機能は従来技術を参照してもよく、ここでその説明を省略する。
【００７５】
本実施例によれば、受信機の各径路の等化フィルタタップ係数に対してＮ個のタップのＦＦＴ演算を行い、タップ係数の和を周波数領域でゼロ周波数から高周波数（非ゼロ周波数）にシフトすることで、偏光状態変化の監視結果への送信機の非理想的な状況の影響を回避することができる。
【００７６】
＜実施例４＞
本実施例は通信システムをさらに提供し、該通信システムは送信機、受信機及び偏光状態変化の監視装置を含む。該偏光状態変化の監視装置は、受信機に接続され、或いは受信機に配置され、実施例２の偏光状態変化の監視装置６００であってもよい。実施例では該偏光状態変化の監視装置６００の構成及び機能を詳細に説明しているため、ここでその内容を援用し、説明を省略する。本実施例では、送信機及び受信機の通常の機能は従来技術を参照してもよく、ここでその説明を省略する。
【００７７】
本発明の実施例は、偏光状態変化の監視装置においてプログラムを実行する際に、コンピュータに、該偏光状態変化の監視装置において上記実施例１に記載の方法を実行させる、コンピュータ読み取り可能なプログラムをさらに提供する。
【００７８】
本発明の実施例は、コンピュータに、偏光状態変化の監視装置において上記実施例１に記載の方法を実行させるためのコンピュータ読み取り可能なプログラムを記憶する、記憶媒体をさらに提供する。
【００７９】
本発明の以上の装置及び方法は、ハードウェアにより実現されてもよく、ハードウェアとソフトウェアを結合して実現されてもよい。本発明はコンピュータが読み取り可能なプログラムに関し、該プログラムは論理部により実行される時に、該論理部に上述した装置又は構成要件を実現させる、或いは該論理部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【００８０】
本発明の実施例を参照しながら説明した方法／装置は、ハードウェア、プロセッサにより実行されるソフトウェアモジュール、又は両者の組み合わせで実施されてもよい。例えば、図６に示す機能的ブロック図における１つ若しくは複数、又は機能的ブロック図の１つ若しくは複数の組み合わせ（例えば抽出部、ＦＦＴ部、推定部など）は、コンピュータプログラムフローの各ソフトウェアモジュールに対応してもよいし、各ハードウェアモジュールに対応してもよい。これらのソフトウェアモジュールは、図２に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【００８１】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置する。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【００８２】
図面に記載されている一つ以上の機能ブロックおよび/または機能ブロックの一つ以上の組合せは、本発明に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【００８３】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲に属する。
【図１】
2020150540.tif 000042
【図２】
2020150540.tif 000043
【図３】
2020150540.tif 000044
【図４】
2020150540.tif 000045
【図５】
2020150540.tif 000046
【図６】
2020150540.tif 000047
【図７】
2020150540.tif 000048
【図８】
2020150540.tif 000049
【図９】
2020150540.tif 000050